(57)【要約】      （修正有）【課題】複数の再生モードを有する再生装置であって、モード変更に関連するユーザの待ち時間を低減することが可能な再生装置を提供する。【解決手段】画像または音声を含む再生情報の再生を行う録画再生部と、再生情報の記録メディアに応じた複数の再生モードを管理する再生モード管理部と、を有する。また、非選択中の再生モードにおいて用いられる記録メディアが検知された場合において、再生モードの変更、当該記録メディアによる再生情報の取得、及び当該記録メディアによる自動再生を行うか否かに関する設定である移行設定を受け付ける設定部を有する。設定画面８０において設定部は、「自動モード変更」「先読み処理」「停止時自動モード変更」を受け付ける。また、この移行設定に基づいて、再生モードの変更制御、再生情報の取得制御、または再生情報の再生制御を行う移行管理部を有する。【選択図】図３
2014186770.tif 000002
【特許請求の範囲】
【請求項１】
画像又は音声を含む再生情報の再生を行なう再生処理部と、
前記再生処理部が行なう再生モードの管理を行う再生モード管理部と、
前記再生モード管理部の処理動作に関する設定を行なう設定部と、
前記設定部の設定内容に基づいて前記再生処理部及び再生モード管理部の制御を行なう移行管理部と、を備え、
前記設定部は、
現在の再生モードと異なる再生モードが検知されたときに自動的に再生モードを切替えるか否かの設定を行なう第一の移行設定と、
現在の再生モードと異なる再生モードが検知されたときに現在の再生モードを切替えることなく、再生準備を行うか否かの設定を行なう第二の移行設定と、
現在の再生モードと異なる再生モードが検知されたときに現在の再生モードでの再生が終了した時点で自動的に再生モードを切替えるか否かの設定を行なう第三の移行設定と、を行う機能を有し、
前記移行管理部は、記録媒体の監視機能を有し、現在の再生モードと異なる再生モードで再生が行なわれる記録媒体か否かの判定を行い、前記設定部の設定に応じて再生モードを切替えることを特徴とする再生装置。
【請求項２】
前記第一の移行設定は、自動的に再生モードを切替えた後、自動的に記録媒体の再生を開始させる自動モード変更に関する設定であることを特徴とする請求項１記載の再生装置。
【請求項３】
前記第二の移行設定は、再生モードを切替えることなく、検知した記録媒体の情報を読込み再生がすぐに開始可能なように準備を行なう先読み処理に関する設定であることを特徴とする請求項１又は２記載の再生装置。
【請求項４】
前記第三の移行設定は、現在の再生モードでの記録媒体の再生が終了した時点で自動的に再生モードを切替え記録媒体の再生を開始する停止時自動モード変更に関する設定であることを特徴とする請求項１乃至３のいずれかに記載の再生装置。
【請求項５】
前記設定部は、現在の再生モードと異なる再生モードで再生が行なわれる記録媒体が検出されたときに、再生モードの有効及び無効を設定させる設定画面を表示させることを特徴とする請求項１乃至４のいずれかに記載の再生装置。
【発明の詳細な説明】
【技術分野】
【０００１】
本発明は、画像または音声の再生を実施可能な再生装置に関するものであり、特に複数の再生モードを有する再生装置に関する。
【背景技術】
【０００２】
近年、画像や音声の再生を行うための再生装置として、ＤＶＤ（Digital Versatile Disk）プレーヤ、ＢＤ（Blu-ray Disc：登録商標）プレーヤ等が普及している。また、これら複数の再生装置を一装置にまとめた複合機も普及している。
【０００３】
これらの再生装置の中には、複数の再生機能を有し、使用する再生機能に応じて再生モードを変更する再生装置が実用化されている。例えば、ＤＶＤを再生するＤＶＤ再生モード、ＵＳＢメモリに記録されたコンテンツを再生するＵＳＢ再生モード、ネットワークを介して配信されているストリーミングデータを再生するネットワーク再生モード等を有する再生装置が実用化されている。
【０００４】
しかしながらモード変更には、その変更パターンによっては、多くの処理時間がかかる場合がある。例えば、ＵＳＢ再生モードからＢＤ再生モードへの変更が発生した場合、ＵＳＢ再生モードでの再生を停止した後、光ディスクの判別を行い、スピンアップ処理やディスク管理情報の読み込み等を行う必要がある。このため、数秒から数十秒の待ち時間が発生する可能性がある。このようなモード変更に起因するユーザの待ち時間は、極力低減することが望まれる。
【０００５】
上記に関連する技術として特許文献１には、再生専用のＤＶＤメディアが装着された場合に、ユーザ操作を必要とせず、自動的にＤＶＤ再生モードに移行してＤＶＤメディアの再生を実施する再生装置が開示されている。
【先行技術文献】
【特許文献】
【０００６】
【特許文献１】特開２００６−３２３８９５号公報
【発明の概要】
【発明が解決しようとする課題】
【０００７】
しかしながら、特許文献１に記載されている再生装置では、ＤＶＤメディアを装着すると、その他の再生メディアでの再生が中断され、強制的にモード変更が行われてしまう。このため、ユーザの意図しない再生中断やモード変更が行われ、不要な待ち時間が発生する可能性があった。
【０００８】
本発明の目的は、複数の再生モードを有する再生装置であって、モード変更に関連するユーザの待ち時間を低減することが可能な再生装置を提供することにある。
【課題を解決するための手段】
【０００９】
上記目的を達成するために本発明の再生装置は、画像又は音声を含む再生情報の再生を行なう再生処理部と、前記再生処理部が行なう再生モードの管理を行う再生モード管理部と、前記再生モード管理部の処理動作に関する設定を行なう設定部と、前記設定部の設定内容に基づいて前記再生処理部及び再生モード管理部の制御を行なう移行管理部と、を備え、前記設定部は、現在の再生モードと異なる再生モードが検知されたときに自動的に再生モードを切替えるか否かの設定を行なう第一の移行設定と、現在の再生モードと異なる再生モードが検知されたときに現在の再生モードを切替えることなく、再生準備を行うか否かの設定を行なう第二の移行設定と、現在の再生モードと異なる再生モードが検知されたときに現在の再生モードでの再生が終了した時点で自動的に再生モードを切替えるか否かの設定を行なう第三の移行設定と、を行う機能を有し、前記移行管理部は、記録媒体の監視機能を有し、現在の再生モードと異なる再生モードで再生が行なわれる記録媒体か否かの判定を行い、前記設定部の設定に応じて再生モードを切替えることを特徴としている。
【００１０】
この構成によると、現在の再生モードと異なる再生モードで再生可能なメディア（記録媒体）が検知された場合において自動モード変更、再生情報の先読み、自動再生を行うか否かに関する設定を、事前またはメディア検知時にユーザより受け付けることができる。このため、モード変更に関連するユーザの待ち時間を低減することができる。
【００１１】
前記第一の移行設定は、自動的に再生モードを切替えた後、自動的に記録媒体の再生を開始させる自動モード変更に関する設定であることが好ましい。
【００１２】
この構成によると、自動モード変更が行われた場合、自動的に記録媒体の再生が開始されるので、利便性が向上する。
【００１３】
前記第二の移行設定は、再生モードを切替えることなく、検知した記録媒体の情報を読込み再生がすぐに開始可能なように準備を行なう先読み処理に関する設定であることが好ましい。
【００１４】
この構成によると、検知した記録媒体に対応した再生準備を行なうことができる。
【００１５】
前記第三の移行設定は、現在の再生モードでの記録媒体の再生が終了した時点で自動的に再生モードを切替え記録媒体の再生を開始する停止時自動モード変更に関する設定であることが好ましい。
【００１６】
この構成によると、現在の再生モードでの記録媒体の再生が終了した時点で自動的に再生モードが切り替わった場合、自動的に記録媒体の再生が開始されるので、利便性が向上する。
【００１７】
前記設定部は、現在の再生モードと異なる再生モードで再生が行なわれる記録媒体が検出されたときに、再生モードの有効及び無効を設定させる設定画面を表示させることが好ましい。
【００１８】
この構成によると、記録媒体が検出されたときに、ユーザは設定画面を見ながら再生モードの有効及び無効を設定することができる。これにより、ユーザの意図しないモード変更や自動再生を低減することができる。
【発明の効果】
【００１９】
本発明によれば、現在の再生モードと異なる再生モードで再生可能なメディアが検知された場合において自動モード変更、再生情報の先読み、自動再生を行うか否かに関する設定を、事前またはメディア検知時にユーザより受け付けることができる。このため、モード変更に関連するユーザの待ち時間を低減することができる。
【図面の簡単な説明】
【００２０】
【図１】本発明の再生装置の機能部の構成を示すブロック図である。
【図２】本発明の再生装置の内部構成を示すブロック図である。
【図３】第１実施形態に係る設定画面を示す画面図である。
【図４】第１実施形態に係るモード変更処理を示すフロー図である。
【図５】第２実施形態に係るモード変更処理を示すフロー図である。
【図６】第２実施形態に係る再生画面を示す画面図である。
【発明を実施するための形態】
【００２１】
以下に本発明の一実施形態を、図面を参照しつつ説明する。なお、ここで示す実施形態は一例であり、本発明はここに示す実施形態に限定されるものではない。
〈１−１．内部構成について〉
【００２２】
図１は、本発明の第１の実施形態に係るＢＤプレーヤ１（＝再生装置）の内部構成を示すブロック図である。なお、図１における矢印線は画像／音声データの流れを示している。また、矢印のない直線は、制御部１１が各装置に対する制御信号等を送受信するための通信バスを示している。
【００２３】
ＢＤプレーヤ１は少なくとも、制御部１１、メモリ１２、操作部１３、フラッシュメモリ１４、ＨＤＤ１５、光ディスクドライブ１６、放送受信部１７、信号処理部１８、ＯＳＤ（On-Screen Display）処理部１９、外部接続端子２０、及び通信Ｉ／Ｆ部２１を含むように構成されている。なおＢＤプレーヤ１に外部接続される電子装置として、ディスプレイ２及びＵＳＢメモリ３（＝外部記録媒体）が存在する。
【００２４】
制御部１１は、ＢＤプレーヤ１の各部の駆動を制御することにより、画像／音声の再生処理や、外部装置との通信処理等を統括制御するためのものである。制御部１１は例えば、複数のマイクロプロセッサから構成されている。また制御部１１は、制御部１１が備える演算処理装置上で所定のプログラムを実行することにより実現される機能部として、後述する図２に示す複数の機能部を備えている。
【００２５】
メモリ１２は、ＢＤプレーヤ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００２６】
操作部１３は、ユーザがＢＤプレーヤ１に対して、画像／音声の再生指示等を行うためのものである。操作部１３は、例えばＢＤプレーヤ１のハウジングに設けられた複数のボタンや、図示しないリモコン及びリモコン信号受信部等を含む。操作部１３はこれらの装置により、ユーザ操作を受け付ける。ユーザ操作が受け付けられると、制御部１１は、操作内容に基づいて再生処理や記録処理等を行う。
【００２７】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、ユーザ使用時に書き換えが必要な用途、例えば再生設定情報、通信設定情報、ユーザの個人情報等を保存するのに用いられる。
【００２８】
ＨＤＤ１５は、デジタルデータを記録する磁気記録媒体である。ＨＤＤ１５は、複数の磁気ディスクを回転させつつ、アクチュエータによりヘッドを移動させることにより、データの記録や読み出しを行う。本実施形態では主に、放送波に含まれる画像／音声データから生成される録画データを記録するのに用いられる。
【００２９】
光ディスクドライブ１６は、ＢＤメディア、或いはＤＶＤメディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。
【００３０】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３１】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００３２】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２に出力する場合は、外部接続端子２０へ与えられる。
【００３３】
ＯＳＤ処理部１９は、画像信号を生成する機能部である。ＯＳＤ処理部１９は、ＢＤプレーヤ１が出力すべき情報をユーザが視認できる画像データに変換し、変換した画像データをディスプレイ２に表示するための画像信号を生成する。生成された画像信号は、外部接続端子２０より出力される。
【００３４】
外部接続端子２０は、例えばＨＤＭＩ(登録商標)（High Definition Multimedia Interface）端子、ＵＳＢ（Universal Serial Bus）端子、シリアルケーブル接続端子等を含む、複数の入出力端子からなるインタフェースである。外部接続端子２０はこれらの入出力端子を用いて、ＢＤプレーヤ１と外部の装置、例えばディスプレイ２を接続し、デジタル信号またアナログ信号の入出力を行う。
【００３５】
通信Ｉ／Ｆ部２１は、ＢＤプレーヤ１を通信ネットワークと接続するための物理的なインタフェースである。通信Ｉ／Ｆ部２１は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。これにより、インターネット等の広域通信網４に接続することが可能である。
【００３６】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００３７】
ＵＳＢメモリ３は、ＢＤプレーヤ１に外部接続された、着脱可能な半導体記録媒体である。本実施形態のＵＳＢメモリ３は、ＢＤプレーヤ１が再生対象とする動画コンテンツや音楽コンテンツを記録するのに用いられる。
〈１−２．機能部の構成について〉
【００３８】
ここで、本発明の第１の実施形態に係るＢＤプレーヤ１がモード変更処理を実施するための各機能部の関係を、図１のブロック図を用いながら説明する。なお、図１における破線矢印線は、制御信号の流れを示している。
【００３９】
図１に示すように本発明のモード変更処理は、制御部１１が備える録画再生部１１ａ（＝再生処理部）、再生モード管理部１１ｂ、設定部１１ｃ、及び移行管理部１１ｄにより実施される。
【００４０】
録画再生部１１ａはＨＤＤ１５に対する録画データの記録や、光ディスクドライブ１６に装着された光ディスクの再生処理等の統括制御を行う。なお再生処理においては、動画ファイルのフォーマットに応じたコーデックをフラッシュメモリ１４等から読み出し、動画ファイルをデコードしてデジタルデータ生成し、信号処理部１８へ与える。
【００４１】
再生モード管理部１１ｂは、録画再生部１１ａが再生を実施する際の、再生モード（＝再生モード）の制御を行う。より具体的には、再生モード管理部１１ｂは、光ディスクドライブ１６に装着されたＤＶＤメディア、外部接続端子２０に接続されたＵＳＢメモリ３、或いは広域通信網４を介して取得したＷＥＢコンテンツ等、複数の取得再生方法について、いずれの取得再生方法を用いるかにより、制御する機器を変更する。例えばＤＶＤ再生モードであれば光ディスクドライブ１６を制御し、ＵＳＢ再生モードであれば外部接続端子２０を制御する。
【００４２】
設定部１１ｃは、再生モード管理部１１ｂの動作に関する設定をユーザより受け付ける。本実施形態の設定部１１ｃは、図３に示す設定画面８０をＯＳＤ処理部１９により生成してディスプレイ２に出力し、操作部１３によるユーザ操作を待ち受ける。
【００４３】
設定画面８０において設定部１１ｃは、「自動モード変更」のオン／オフ（＝第一の移行設定）、「先読み処理」のオン／オフ（＝第二の移行設定）、「停止時自動モード変更」のオン／オフ（＝第三の移行設定）を受け付ける。なお、各設定のオン／オフは、設定画面８０に表示されているカーソル８１をユーザが操作することにより、変更可能となっている。
【００４４】
「自動モード変更」は、現在の再生モードとは異なる再生モードで再生されるメディアが検知され、且つ現在の再生モードで再生が行われていない場合に、自動的に再生モードを切り替えて再生を開始するか否かに関する設定項目である。
【００４５】
例えば、現在の再生モードがＤＶＤ再生モードであり、且つＤＶＤの再生が停止されている状態においてＵＳＢメモリ３の装着を検知した場合に、自動的にＵＳＢ再生モードに切り替える。さらに、ＵＳＢメモリ３に記録されているコンテンツの読み込みを行う。ＵＳＢメモリ３に記録可能なコンテンツとしては、動画ファイル、音楽ファイル、画像ファイル等の種類があるため、再生するファイルを選択する画面を表示する。
【００４６】
「先読み処理」は、現在の再生モードと異なる再生モードで再生されるメディアが検知された場合に、再生モードを切り替えることなく、当該メディアの再生準備を行うか否かに関する設定項目である。
【００４７】
例えば、ＵＳＢメモリ３に記録されているコンテンツの再生中に、ユーザがＤＶＤメディアを装着した場合に、ＤＶＤ再生モードに切り替えることなく、ＤＶＤメディアのスピンアップ処理やディスク情報読み込み等、モード変更を必要とすることなく実施できる処理を先に行っておく。これにより、ＤＶＤ再生モードへのモード変更が実行された場合に、ＤＶＤメディアの再生を迅速に行うことができる。
【００４８】
「停止時自動モード変更」は、現在の再生モードと異なる再生モードで再生されるメディアが検知され、且つ現在の再生モードで再生中である場合に、当該再生が終了した時点で、自動的に再生モードを切り替えて再生を開始するか否かに関する設定項目である。
【００４９】
移行管理部１１ｄは、設定部１１ｃが受け付けた設定内容に基づいて、録画再生部１１ａや再生モード管理部１１ｂを制御することにより、次に説明するモード変更処理を実施する。
〈１−３．モード変更処理について〉
【００５０】
ここで、本発明の第１の実施形態に係るＢＤプレーヤ１が実施するモード変更処理を、図４のフロー図を用いながら説明する。なお図４に示す処理は、ＢＤプレーヤ１が通電されている状態において、任意のタイミングで開始することが可能である。
【００５１】
なお、図４に示す処理フローは、上述した「自動モード変更」、「先読み処理」、及び「停止時自動モード変更」が全てオンに設定されている場合の処理フローを示すものである。
【００５２】
本処理の開始後、移行管理部１１ｄはステップＳ１１０において、現在の再生モードとは異なる再生モードで再生されるメディアが検知されたか否かを判定する。検知されていない場合、再びステップＳ１１０へ移行し、メディアの監視を継続する。
【００５３】
上記のメディアが検知された場合、移行管理部１１ｄはステップＳ１２０において、選択中の再生モードで再生が行われているか否かを判定する。再生が行われていない場合、移行管理部１１ｄはステップＳ１３０において、検知されたメディアを再生するための再生モードへモード切り替えを行うよう、再生モード管理部１１ｂに指示する。
【００５４】
さらに移行管理部１１ｄはステップＳ１４０において、検知されたメディアを再生するための再生準備（例えばＤＶＤメディアであればスピンアップ処理）を行うよう、録画再生部１１ａに指示する。再生準備が完了すると、移行管理部１１ｄはステップＳ１５０において、自動再生を行うよう、録画再生部１１ａに指示する。
【００５５】
ステップＳ１２０に戻って説明を行うと、選択中の再生モードで再生が行われている場合、移行管理部１１ｄはステップＳ２１０において、検知されたメディアに対して、モード変更を必要とすることなく実施可能な再生準備処理（＝先読み処理）を判別し、実行する。例えば検知されたメディアがＵＳＢメモリ３であれば、ＵＳＢメモリ３に記録されているファイルのタイトルやサムネイル等を読み込み、ファイル一覧画面を事前に作成しておく。
【００５６】
次に移行管理部１１ｄはステップＳ２２０において、選択中の再生モードでの再生終了が検知された否かを判定する。再生終了が検知されていない場合、再びステップＳ２２０へ移行し、再生状態の監視を継続する。
【００５７】
再生終了が検知された場合、移行管理部１１ｄはステップＳ２３０において、検知されたメディアを再生するための再生モードへモード切り替えを行うよう、再生モード管理部１１ｂに指示した後、ステップＳ１５０へ移行し、再生を開始する。
【００５８】
以上に説明した本実施形態によれば、選択中の再生モードとは異なる再生モードで再生するメディアの装着が検知された場合に、選択中の再生モードでの再生状態に応じて、自動再生または先読み処理を行う。またこれらの各処理のオン／オフを、ユーザが事前に設定できるようにしている。これにより、選択中の再生モードでの再生と、新たに検知されたメディアでの再生とのいずれを優先するかを、ユーザが選択することができる。また、モード切り替え後の再生を迅速に行える。
[実施の形態２]
【００５９】
次に、本発明の第２の実施形態について説明する。
〈２−１．内部構成について〉
【００６０】
第１の実施形態と同じ構成であるため、説明を省略する。
〈２−２．機能部の構成について〉
【００６１】
設定部１１ｃ及び移行管理部１１ｄの機能が、第１の実施形態と一部異なる。第１の実施形態では、設定部１１ｃは、モード切り替えに関する各設定を事前にユーザより受け付けていたが、本実施形態では、新たなメディアが検知された時点でも、ユーザからの設定を受け付ける。
【００６２】
図５は、本発明の第２の実施形態に係るＢＤプレーヤ１が実施するモード変更処理を示すフロー図である。なお、実施の形態１と同様の処理については、同じステップ番号を付与することにより、説明を省略するものとする。なお、図５に示す処理フローは、処理開始時において、上述した「自動モード変更」がオフに設定されている場合の処理フローを示すものである。
【００６３】
本処理の開始後、ステップＳ１１０においてメディアが検知されると、設定部１１ｃはステップＳ１１１において、図６に示す通知画像９２の表示を行う。なお図６に示す再生画面９０には、再生画像表示領域９１、通知画像９２、及びカーソル９３が含まれている。
【００６４】
再生画像表示領域９１は、選択中の再生モードで再生されている画像を表示するための領域である。通知画像９２は、設定部１１ｃがＯＳＤ処理部１９により生成して再生画像表示領域９１に重畳表示する画像である。
【００６５】
通知画像９２には、非選択中の再生モードで再生可能なメディアが検知されたことを示すメッセージが含まれている。また、このメディアを対象として、「自動モード変更」を有効とするか否かを受け付けるためのボタン画像が表示されている。ユーザはカーソル９３を操作してこのボタン画像のいずれかを選択することにより、自動変更モードのオン／オフを選択することができる。
【００６６】
設定部１１ｃは、ステップＳ１１２において、上記の選択を受け付ける。自動変更モードのオンが選択された場合、移行管理部１１ｄは実施の形態１と同様、ステップＳ１２０以降の処理を実施する。自動変更モードのオフが選択された場合、移行管理部１１ｄは、ステップＳ１２０以降の処理を実施しない。なお、「先読み処理」がオンに設定されている場合は、ステップＳ２１０に移行し、先読み処理のみを行う形態でもよい。
【００６７】
また、上記では、ステップＳ１１１及びステップＳ１１２において「自動モード変更」のオン／オフに関する設定のみを受け付けているが、同様に「先読み処理」及び「停止時自動モード変更」のオン／オフに関する設定を、ステップＳ１１１及びステップＳ１１２において受け付ける形態でもよい。
【００６８】
以上に説明した本実施形態によれば、「自動モード変更」のオン／オフを、事前設定だけではなく、メディア検知時においても実施することができる。このため、「自動モード変更」のオン／オフを、装着したメディアに応じてユーザが適宜変更したい場合に、利便性を向上させることができる。
［その他の実施の形態］
【００６９】
以上、好ましい実施の形態及び実施例を挙げて本発明を説明したが、本発明は必ずしも上記実施の形態に限定されるものではなく、その技術的思想の範囲内において様々に変形して実施することができる。
【００７０】
従って本発明は、以下の形態にも適用可能である。
【００７１】
（Ａ）上記実施形態では、本発明の再生装置の一例としてＢＤプレーヤ１を例に挙げているが、再生情報を再生可能な再生装置であれば、これ以外の装置において本発明を実施する形態でもよい。例えば、ＤＶＤプレーヤやＤＶＤレコーダ等を用いる形態であってもよい。
【００７２】
（Ｂ）上記実施形態では、本発明のモード変更処理に関わる各機能部が、マイクロプロセッサ等の演算処理装置上でプログラムを実行することにより実現されているが、各機能部が複数の回路により実現される形態でもよい。
【００７３】
（Ｃ）上記実施形態では、再生情報を記録した記録媒体としてＤＶＤメディア及びＵＳＢメモリ３を例示しているが、例えば外部接続端子２０によりハンディカム等の外部装置を接続して再生する再生モードを対象として、本発明にモード変更処理を実施する形態でもよい。この場合、例えば先読み処理として、ハンディカムに記録されたデータの管理情報等をＨＤＤ１５へ事前にコピーすることにより、ハンディカム再生モードへ移行した際に、迅速にデータ一覧を表示することが可能である。
【符号の説明】
【００７４】
１      ＢＤプレーヤ（再生装置）
２      ディスプレイ
３      ＵＳＢメモリ（外部記録媒体）
４      広域通信網
１１    制御部
１１ａ  録画再生部（再生処理部）
１１ｂ  再生モード管理部
１１ｃ  設定部
１１ｄ  移行管理部
１２    メモリ
１３    操作部
１４    フラッシュメモリ
１５    ＨＤＤ
１６    光ディスクドライブ
１７    放送受信部
１８    信号処理部
１９    ＯＳＤ処理部
２０    外部接続端子
２１    通信Ｉ／Ｆ部
【図１】
2014186770.tif 000003
【図２】
2014186770.tif 000004
【図３】
2014186770.tif 000005
【図４】
2014186770.tif 000006
【図５】
2014186770.tif 000007
【図６】
2014186770.tif 000008